(57)【要約】【課題】従来のデジタル放送受信装置における中継局サーチは、視聴中放送局のＮＩＴに記載されている中継局情報を用いて受信可能な中継局をサーチしていたが、中継局数が増えるとサーチに時間がかかるという問題があった。【解決手段】チャンネルサーチ時に受信した中継局の放送局識別情報と周波数情報を記憶する中継局情報記憶部２１と、中継局情報記憶部２１から検索して得られる周波数リストを用いて受信可能な中継局をサーチすることにより、サーチ対象となる中継局を絞りこむことによりサーチ時間を短縮できる。【選択図】図１
2008124602.tif 000002
【特許請求の範囲】
【請求項１】
デジタル放送を受信し、選局可能な放送局を順次検索するチャンネルサーチを行うデジタル放送受信装置において、
前記チャンネルサーチ時に受信した中継局の放送局識別情報と周波数情報を記憶する中継局情報記憶部と、
前記中継局情報記憶部から、視聴中放送局と同一の放送局の中継局の周波数情報を検索し、得られた周波数リストを用いて選局可能な中継局をサーチする中継局サーチ部と
を備えることを特徴とするデジタル放送受信装置。
【請求項２】
デジタル放送を受信し、選局可能な放送局を順次検索するチャンネルサーチを行うデジタル放送受信装置において、
前記チャンネルサーチ時に受信した中継局の系列識別情報と周波数情報を記憶する系列中継局情報記憶部と、
前記系列中継局情報記憶部から、視聴中放送局と同一の系列の中継局の周波数情報を検索し、得られた周波数リストを用いて選局可能な中継局をサーチする中継局サーチ部と
を備えることを特徴とするデジタル放送受信装置。
【発明の詳細な説明】
【技術分野】
【０００１】
本発明は、視聴中放送局が受信状況の変化により受信不可となった場合などに継続視聴を可能とするために受信可能な中継局をサーチする機能を有するデジタル放送受信装置に関するものである。
【背景技術】
【０００２】
地上波デジタル放送の伝送方式においては中継局の周波数を親局や他の中継局と同一の周波数とするＳＦＮ方式と、親局や他の中継局と異なる周波数とするＭＦＮ方式がある。ＭＦＮ方式の場合には、受信者がある中継局の受信可能範囲から隣の中継局の受信可能範囲に移動した場合には周波数を変更して選局し直さないと受信できない。従って、継続視聴するためには他の中継局の周波数を用いて受信可否を判定し、受信可能な中継局を探索する中継局サーチ機能が必要となる。
【０００３】
中継局サーチ機能を有するデジタル放送受信装置に関する発明として、視聴中放送局のネットワークインフォメーションテーブルに記載されている中継局情報を用いて受信可能な中継局をサーチする中継局サーチ機能を有するデジタル放送受信装置がある。（例えば、特許文献１参照）。
【特許文献１】特開２００２−３５９８２５号公報
【発明の開示】
【発明が解決しようとする課題】
【０００４】
しかしながら、地上波デジタル放送のＭＦＮの中継局数は多いところでは１０を越える予定である。ＮＩＴ（ネットワークインフォメーションテーブル）には全ての中継局の周波数情報が記載されるため、従来の発明では、サーチの対象となる中継局数が多くなる。
【０００５】
中継局の設置・保守には莫大なコストがかかるため、中継局は間隔を開けて必要最小限の数を配置すべきものであり、一般的にある地点で受信可能な中継局の数は少なく、ＮＩＴに記載されているほとんどの中継局は受信不可であると想定される。従って、従来の発明ではサーチ対象に多くの受信不可の中継局が含まれるため、サーチに時間がかかるという問題があった。
【０００６】
また、地上波デジタル放送の放送局・中継局は順次開局中の段階であり、試験放送などにおいてＮＩＴに中継局の周波数情報が記載されていない送出異常が発生する可能性がある。この場合に、従来の発明では正常にサーチを行えないという問題もある。例えばある中継局の周波数情報がＮＩＴに記載されていないと、その中継局が受信可能であるにもかかわらずサーチで検出できない。
【課題を解決するための手段】
【０００７】
本発明のデジタル放送受信装置は、上記課題を解決するものであり、デジタル放送を受信し、選局可能な放送局を順次検索するチャンネルサーチを行うデジタル放送受信装置において、前記チャンネルサーチ時に受信した中継局の放送局識別情報と周波数情報を記憶する中継局情報記憶部と、前記中継局情報記憶部から、視聴中放送局と同一の放送局の中継局の周波数情報を検索し、得られた周波数リストを用いて選局可能な中継局をサーチする中継局サーチ部とを備えることを特徴とする。
【発明の効果】
【０００８】
本発明は、チャンネルサーチ時に受信可能であった中継局だけをサーチ対象とすることによりサーチ時間を短縮することが可能である。
【０００９】
また、ＮＩＴに記載されている中継局の周波数情報が異常な場合でも、放送局識別情報さえ正常であれば、正常にサーチできる。
【発明を実施するための最良の形態】
【００１０】
本発明のデジタル放送受信装置の実施の形態について図面を用いて説明する。
【００１１】
（実施の形態１）
図１は、本発明の実施の形態１に係るデジタル放送受信装置のブロック図である。
【００１２】
図１において、１はチャンネルサーチ時に受信した中継局のネットワーク識別情報と周波数情報を記憶する中継局情報記憶部であり、７は中継局情報記憶部１を検索して、サーチすべき周波数リストを作成する周波数リスト作成部であり、２は周波数リスト作成部７が作成した周波数リストを用いて受信可能な中継局をサーチする中継局サーチ部であり、５は放送を受信し選局する受信選局部であり、４は受信選局部５を用いてチャンネルサーチを行うチャンネルサーチ部であり、６は受信選局部５が出力するトランスポートストリームを解析処理するＴＳ処理部であり、８はＴＳ処理部６の出力信号をＡＶ処理するＡＶ処理部であり、９はＯＳＤ表示する情報を作成し出力するＯＳＤ表示制御部であり、１０はＡＶ処理部８及びＯＳＤ表示制御部９からの出力信号を、モニタ１２及びスピーカ１３に出力するＡＶ出力部であり、１１はユーザによる操作を受け付ける操作入力部であり、３はデジタル放送受信装置全体の制御を行う制御部である。
【００１３】
チャンネルサーチ時には以下の動作を行う。ユーザが操作入力部１１よりチャンネルサーチの操作を入力すると制御部３はＯＳＤ表示制御部９にチャンネルサーチ画面を表示させるとともにチャンネルサーチ部４に処理を開始させる。チャンネルサーチ部４は受信選局部５に対して地上波デジタル放送で運用される範囲のチャンネルごとに周波数を指定して選局する。受信可能であった場合には、受信選局部５からＴＳ処理部６にトランスポートストリーム（ＴＳ）が出力され、ＴＳ処理部６はＴＳからＮＩＴをフィルタリングし、周波数情報とＮＩＴに記載されているネットワーク識別情報を中継局情報記憶部１に格納する。またＴＳ処理部６は映像音声情報をＡＶ処理部８に伝送し、ＡＶ処理部８は映像音声のデコードを行い、ＡＶ出力部１０は映像とＯＳＤ表示画面の合成を行いモニタ１２に出力し、音声をスピーカ１３に出力する。すべてのチャンネルに対してサーチ処理が終了すると、チャンネルサーチ部４は受信可能な放送局のリストを制御部３に伝送する。制御部３はＯＳＤ表示制御部９のチャンネルサーチ画面を消去する。
【００１４】
以後、操作入力部１１より選局操作の入力があった場合には、制御部３は受信可能な放送局のリストに従って受信選局部５に選局処理を実行させる。
【００１５】
ユーザが操作入力部１１より中継局サーチの操作を入力すると制御部３はＯＳＤ表示制御部９に中継局サーチ画面を表示させるとともに中継局サーチ部２に処理を開始させる。中継局サーチ部２は周波数リスト作成部７に視聴中の放送局と同じネットワーク識別情報を持つ中継局の周波数リストを作成させ、次に、周波数リストに記載されている周波数を順次受信選局部５に指定し選局を実行させ、受信可能な周波数が見つかるか、周波数リストに記載されている全ての周波数に対して選局を実行し終えたら、処理を終了する。中継局サーチ部２の処理が終了すると、制御部３はＯＳＤ表示制御部９に中継局サーチ画面を消去させ、受信可能な周波数が見つかった場合には受信選局部５にこの周波数で選局させる。
【００１６】
このように、本発明によれば、チャンネルサーチ時に受信可能である中継局だけをサーチ対象とすることによりサーチ時間を短縮することが可能となる。
【００１７】
また、ＮＩＴに記載されている中継局の周波数情報が異常な場合でも、放送局識別情報さえ正常であれば、正常にサーチできる。
【００１８】
地上波デジタル放送はＯＦＤＭ変調方式を用いており階層伝送を行っている。家庭用デジタルテレビは高階層サービスしか受信出来ないため、中継局は高階層サービスが対象地域全域で受信可能となるように設置されると考えられる。移動体用デジタル放送は低階層サービスも受信するが、低階層サービスの受信範囲は高階層よりも広いため、例えば図２の場合に、Ａ地点では高階層サービスは中継局１しか受信できないが、低階層サービスは中継局１、２、３を受信可能である。しかし、遠方の中継局４は受信できない。
【００１９】
チャンネルサーチ時に受信可能であった中継局だけをサーチ対象とすることにより移動後も受信可能性が高い近隣の中継局だけをサーチ候補とすることが出来るため、単純にサーチ対象を絞るよりもサーチできる可能性を高くすることが出来る。
【００２０】
なお、本実施形態では受信可能な周波数が見つかった時点で中継局サーチを終了しているが、全ての周波数に対して選局し、中継局サーチ終了時に、一番受信感度が良かった周波数に選局し直すことも可能である。
【００２１】
また、ＭＦＮ伝送方式の場合でもＳＦＮの中継局とＭＦＮの中継局が混在する場合が考えられるため、周波数リストの中の周波数が重複する可能性がある。中継局サーチ時に周波数リストの中で重複する周波数はスキップすることによりサーチ時間の短縮が可能となる。
【００２２】
また、従来の発明と同様に、中継局サーチ機能がＮＩＴに記載の周波数を順次サーチするデジタル放送受信装置においても中継局情報記憶部１に存在する周波数を優先的にサーチすることにより、サーチ時間の短縮が可能になり、且つ、チャンネルサーチ時には受信不可能だった中継局もサーチの対象とすることが出来る。
【００２３】
（実施の形態２）
図３は、本発明の実施の形態２に係るデジタル放送受信装置のブロック図である。
【００２４】
図３において、実施の形態１と同じ構成要素は同じ番号を付与し、説明を省略する。２１はチャンネルサーチ時に受信した中継局の系列識別情報と周波数情報を記憶する系列中継局情報記憶部であり、２２は周波数リスト作成部が系列中継局情報記憶部２１から検索して作成した周波数リストを用いて受信可能な中継局をサーチする中継局サーチ部である。
【００２５】
チャンネルサーチ時には以下の動作を行う。ユーザが操作入力部１１よりチャンネルサーチの操作を入力すると制御部３はＯＳＤ表示制御部９にチャンネルサーチ画面を表示させるとともにチャンネルサーチ部４に処理を開始させる。チャンネルサーチ部４は受信選局部５に対して地上波デジタル放送で運用される範囲のチャンネルごとに周波数を指定して選局する。受信可能であった場合には、受信選局部５からＴＳ処理部６にトランスポートストリーム（ＴＳ）が出力されＴＳ処理部６はＴＳからＮＩＴとブロードキャスタインフォメーションテーブル（ＢＩＴ）をフィルタリングし、周波数情報とＮＩＴに記載されているネットワーク識別情報とＢＩＴの拡張ブロードキャスタ記述子に記載されている系列識別情報とを系列中継局情報記憶部２１に格納する。またＴＳ処理部６は映像音声情報をＡＶ処理部８に伝送し、ＡＶ処理部８は映像音声のデコードを行い、ＡＶ出力部１０は映像とＯＳＤ表示画面の合成を行いモニタ１２に出力し、音声をスピーカ１３に出力する。すべてのチャンネルに対してサーチ処理が終了すると、チャンネルサーチ部４は受信可能な放送局のリストを制御部３に伝送する。制御部３はＯＳＤ表示制御部９のチャンネルサーチ画面を消去する。
【００２６】
以後、操作入力部１１より選局操作の入力があった場合には、制御部３は受信可能な放送局のリストに従って受信選局部５に選局処理を実行させる。
【００２７】
ユーザが操作入力部１１より中継局サーチの操作を入力すると制御部３はＯＳＤ表示制御部９に中継局サーチ画面を表示させるとともに中継局サーチ部２２に処理を開始させる。中継局サーチ部２２は周波数リスト作成部７に視聴中の放送局と同じネットワーク識別情報を持つ中継局の周波数リストを作成させ、次に、周波数リストに記載されている周波数を順次受信選局部５に指定し選局を実行させ、受信可能な周波数が見つかるか、周波数リストに記載されている全ての周波数に対して選局を実行し終えたら、処理を終了する。中継局サーチ部２２の処理が終了すると、制御部３はＯＳＤ表示制御部９に中継局サーチ画面を消去させ、受信可能な周波数が見つかった場合には受信選局部５にこの周波数で選局させる。
【００２８】
このように、本発明によれば、例えば県域をまたいで移動し、同一放送局の中継局が存在しない場合でも、系列中継局を選局するにあたって、チャンネルサーチ時に受信可能である系列中継局だけをサーチ対象とすることによりサーチ時間を短縮することが可能となる。
【産業上の利用可能性】
【００２９】
本発明は車載用デジタルテレビや携帯用デジタルテレビなど、移動しながら視聴するデジタル放送受信装置に利用可能である。
【図面の簡単な説明】
【００３０】
【図１】本発明の実施の形態１におけるデジタル放送受信装置の構成を示すブロック図
【図２】階層による受信可能範囲の相違を示す概念図
【図３】本発明の実施の形態２におけるデジタル放送受信装置の構成を示すブロック図
【符号の説明】
【００３１】
１    中継局情報記憶部
２    中継局サーチ部
３    制御部
４    チャンネルサーチ部
５    受信選局部
６    ＴＳ処理部
７    周波数リスト作成部
８    ＡＶ処理部
９    ＯＳＤ表示制御部
１０    ＡＶ出力部
１１    操作入力部
１２    モニタ
１３    スピーカ
２１    系列中継局情報記憶部
２２    中継局サーチ部
【図１】
2008124602.tif 000003
【図２】
2008124602.tif 000004
【図３】
2008124602.tif 000005